(57)【要約】【課題】本発明は、歯車の個数を少なくして構造を簡素化させるようにした食器洗浄機を提供する。【解決手段】食器洗浄機は、第１の開口部１８を開閉する第１のドア５と第２の開口部１９を開閉する第２のドア６との連動させるための機構４０において、第１の回転軸２５を中心とした第１のドア５の回転半径Ｒ１は、第２の回転軸３５を中心とした第２のドア６の回転半径Ｒ２より小さくなっている。さらに、扇状の第１の歯車４５のピッチ円直径Ｐ１を、扇状の第２の歯車４６のピッチ円直径Ｐ２よりも小さくするだけの対策によって、第１のドア５の開口の高さＫ１を高くすることができる。【選択図】図８
2010273959.tif 000002
【特許請求の範囲】
【請求項１】
洗浄室を形成するハウジングには、対向して配置された第１及び第２の開口部を開閉する回動可能な第１及び第２のドアが取り付けられ、前記第１及び第２のドアを開放した際には、前記ハウジング内で前記第１のドアが前記第２のドアの内側に入り込むように重なり合う食器洗浄機において、
前記第１のドアの側部に固定された第１の回転軸と、
前記第２のドアの側部に固定される第２の回転軸と、
前記第１の回転軸に固定された第１の歯車と、
前記第２の回転軸に固定されると共に、前記第１の歯車に噛合する第２の歯車と、を備え、
前記第１の歯車は、前記第２の歯車よりもピッチ円直径が小さいことを特徴とする食器洗浄機。
【請求項２】
前記第２の回転軸は、前記第１の回転軸に対して平行に延在し、前記第１のドアは前記第２のドアよりも回転半径が小さいことを特徴とする請求項１記載の食器洗浄機。
【発明の詳細な説明】
【技術分野】
【０００１】
本発明は、連動して開閉する回転式のドアを左右に備えた食器洗浄機に関するものである。
【背景技術】
【０００２】
従来、このような分野の技術として、実開平５−９４５４号公報がある。この公報に記載された食器洗浄機は、歯車列からなる回転伝達手段によって左右の開閉扉の同時開閉が達成されている。この回転伝達手段では、同心をなす一方の回転軸が一方の開閉扉に固定され、他方の回転軸が他方の開閉扉に固定され、それぞれの回転軸には主歯車が取付けられている。これら主歯車の下方には、互いに噛み合う２個の伝達歯車が前後に配置され、一方の伝達歯車に対して一方の主歯車が噛み合い、他方の伝達歯車に対して他方の歯車が噛み合っている。従って、開閉扉を開けるために、一方の開閉扉を上方に持ち上げると、主歯車が時計回りに回転され、これに噛み合う伝達歯車が反時時計回りに回転される。そして、この伝達歯車に噛み合う他方の伝達歯車が時計回りに回転し、この他方の伝達歯車に噛み合う主歯車が反時計回りに回転して、他方の回転扉を反時計回りに回動させる。このような構成の回転伝達手段により、左右の開閉扉の連動を達成させている。
【先行技術文献】
【特許文献】
【０００３】
【特許文献１】実開平５−９４５４号公報
【特許文献２】特開平７−２７５１７６号公報
【特許文献３】実開平８−２９９２４６号公報
【発明の概要】
【発明が解決しようとする課題】
【０００４】
しかしながら、前述した従来の食器洗浄機に採用されている回転伝達手段は、複雑な歯車機構から構成されており、これにより歯車の部品点数が多くなって組立て作業性が悪くなる。しかも、ドアのガタツキを無くして、ドアをスムーズに連動開閉させるためには、構造が複雑な歯車同士の噛み合わせを考慮すると、回転伝達手段を高精度に組み立てる必要があるので、コストアップを招来すると同時に、耐久性が悪くなる虞がある。
【０００５】
本発明は、歯車の個数を少なくして構造を簡素化させるようにした食器洗浄機を提供することを目的とする。
【課題を解決するための手段】
【０００６】
本発明は、洗浄室を形成するハウジングには、対向して配置された第１及び第２の開口部を開閉する回動可能な第１及び第２のドアが取り付けられ、第１及び第２のドアを開放した際には、ハウジング内で第１のドアが第２のドアの内側に入り込むように重なり合う食器洗浄機において、
第１のドアの側部に固定された第１の回転軸と、
第２のドアの側部に固定される第２の回転軸と、
第１の回転軸に固定された第１の歯車と、
第２の回転軸に固定されると共に、第１の歯車に噛合する第２の歯車と、を備え、
第１の歯車は、第２の歯車よりもピッチ円直径が小さいことを特徴とする。
【０００７】
この食器洗浄機は、連動機構として２枚の歯車を利用しているだけなので、構造が極めて簡単であり、部品点数が少なく、組立て作業性が良好で、製造コストの低減を可能にしている。さらに、第１のドアを第２のドアの内側に入り込ませて重なるようにしたドア構造にあっては、ドアを開いたときに内側に入り込んだ第１のドアが第２のドアの下側に位置するのであるから、その分だけ第１のドアの開口の高さが第２のドアの開口の高さより低くなり、第１のドア側から洗浄室内に食器を搬入し難くなる虞があるが、本発明に係る食器洗浄機では、第１の歯車のピッチ円直径を、第２の歯車のピッチ円直径よりも小さくするだけの対策だけで、第１のドアの開口の高さを高くすることができる。
【０００８】
また、第２の回転軸は、第１の回転軸に対して平行に延在し、第１のドアは第２のドアよりも回転半径が小さいと好適である。
このように、ハウジング内で内側に位置する第１のドアは、外側に位置する第２のドアよりも回転半径を小さくしているので、第１のドアと第２のドアとを容易に重ね合わせることができる。しかも、第１のドアと第２のドアの形状は、僅かな幅寸法の違い以外、略同じにすることができ、これによって、第１のドアと第２のドアを略等しい外観形状にすることができる。
【発明の効果】
【０００９】
本発明によれば、歯車の個数を少なくして構造を簡素化させることができる。
【図面の簡単な説明】
【００１０】
【図１】本発明に係る食器洗浄機の一実施形態を示す部分断面図である。
【図２】図１の食器洗浄機を示す部分断面図である。
【図３】図１の食器洗浄機を示す側面図である。
【図４】図１の食器洗浄機を示す斜視図である。
【図５】図１のドアを示す斜視図である。
【図６】食器洗浄機の連動機構を示す正面図である。
【図７】従来に係る食器洗浄機のドアを開放した状態を示す正面図である。
【図８】第１の歯車と第２の歯車との噛合状態を示す正面図である。
【図９】本発明に係る食器洗浄機のドアを開放した状態を示す正面図である。
【発明を実施するための形態】
【００１１】
以下、図面を参照しつつ本発明に係る食器洗浄機の好適な実施形態について詳細に説明する。
【００１２】
図１〜図４に示すように、食器洗浄機１は、ステンレス製の筐体からなる洗浄機本体２と、この洗浄機本体２内に形成された洗浄室Ｓの開閉を行うステンレス製のドア５，６と、を備えている。この食器洗浄機１は、いわゆる同時ドアオープンタイプと呼ばれるものであり、左右のドア５，６を連動させて同時に開閉させることができる。この食器洗浄機１では、トレイに配列した食器類を、左右のドア５，６が開放された状態で洗浄室Ｓに搬入及び搬出することができる。
【００１３】
洗浄機本体２は、下側に位置して機械室を包囲する第１のハウジング３と、上側に位置して洗浄室Ｓを形成する第２のハウジング４と、から構成されている。この機械室には、洗浄用ポンプ、濯ぎ用ポンプ、濯ぎ用貯湯タンクなど（いずれも図示せず）が収容されている。機械室部３は、４本の脚３ａによって支持されている。第１のハウジング３の上部には、洗浄室Ｓの一部を形成する槽部７が設けられ、槽部７の下部には、洗浄水を貯めるための洗浄タンク８が設けられている。
【００１４】
槽部７の内部には、放射状に延びる３本のアームを有する下側洗浄ノズル９と、一直線状に延びる２本のアームを有する下側濯ぎノズル１０とが同一軸線上において回転自在に配置されている。下側洗浄ノズル９及び下側濯ぎノズル１０は、二重構造の配管１１を介して洗浄タンク８や濯ぎ用貯湯タンク（図示せず）に接続されている。
【００１５】
また、洗浄室Ｓの上部には、放射状に延びる３本のアームを有する上側洗浄ノズル１２と、一直線状に延びる２本のアームを有する上側濯ぎノズル１３とが同一軸線上において回転自在に配置されている。上側洗浄ノズル１２及び上側濯ぎノズル１３は、二重構造の配管１４を介して洗浄タンク８や濯ぎ用貯湯タンクに接続されている。このような上下２段のノズル構成によって、洗浄室Ｓ内の食器類に対する高い洗浄効率及びすすぎ効率が得られる。
【００１６】
略門形状の第２のハウジング４は、一対のサイドパネル１５，１６と、サイドパネル１５，１６の上端を連結する天板１７と、からなる。第２のハウジング４の左右には、矩形状の開口部１８，１９が形成されており、略フード状のドア５，６によって、これらの開口部１８，１９が開閉される。
【００１７】
図１〜図５に示すように、ドア５は、開口部１８から出し入れ自在に回転するいわゆるラウンドドアである。ドア５は、取っ手２０が設けられた主面２１と一対の側面２２，２３とによって略フード状に形成されている。
【００１８】
一方の側面２２の裏側には、主面２１と反対側に突出する板状の第１の連結部２４が固定されている。この第１の連結部２４には、ドア５を回転可能にする第１の回転軸２５の一端がネジを介して固定され、この第１の回転軸２５の他端側は、サイドパネル１５を貫通して歯車４５に固定されている。
【００１９】
また、他方の側面２３の裏側には、主面２１と反対側に突出する板状の第３の連結部２８が固定されている。この第３の連結部２８には、ドア５を回転可能にする第３の回転軸（図示せず）の一端を回転自在に支持するための軸孔が形成されている。第３の回転軸の他端は、サイドパネル１６に固定されている。
【００２０】
また、側面２２には、ドア５とサイドパネル１５との隙間から洗浄水が漏れ出ることを防止するための断面Ｌ字形状の突起部２６が固定されている。この突起部２６は、ステンレス製の部材であり、溶接によってドア５に固定されている。長手方向で略くの字状に形成されている突起部２６は、ドア閉鎖時に上下方向に沿って延在する上側突起部２６ａと、この上側突起部２６ａの下端からドア５の奥側に向かって斜め下方に延在する下側突起部２６ｂと、からなる。この下側突起部２６ｂは、ドア開放時にその下端が第２のハウジング４内に入り込むように配置されている。洗浄時に突起部２６に付着した洗浄水は、下側突起部２６ｂに沿って流下した後、開口１８から離れた位置でその下端から槽部７へと落下する。
【００２１】
また、ドア５の側面２２の略中央には、ドア開放時にドア６の端部と当接することでドアの開き過ぎを防止するための樹脂製のストッパ２７が設けられている。なお、側面２３にも同様の突起部及びストッパ（図示せず）が設けられている。
【００２２】
ドア６は、ドア５と同様の構成を有するラウンドドアである。ドア６は、取っ手３０が設けられた主面３１と一対の側面３２，３３とによって略フード状に形成されている。一方の側面３２の裏側には、主面３１と反対側に突出する板状の第２の連結部３４が固定されている。この第２の連結部３４には、ドア６を回転可能にする第２の回転軸３５の一端がネジを介して固定され、この第２の回転軸３５の他端側は、サイドパネル１５を貫通して歯車４６に固定されている。
【００２３】
また、他方の側面３３の裏側には、主面３１と反対側に突出する板状の第４の連結部３８が設けられている。この第４の連結部３８には、ドア５を回転可能にする第４の回転軸（図示せず）の一端を回転自在に支持するための軸孔が形成されている。第４の回転軸の他端は、サイドパネル１６に固定されている。また、ドア６の側面３２，３３には、突起部２６と同様の構成を有する突起部（図示せず）が設けられている。
【００２４】
サイドパネル１５の表面上には、ドア５，６を連動して同時に開閉するための連動機構４０が配置されている。連動機構４０は、第１の回転軸２５の端部に固定されるＬ字状の第１の回動アーム４１と、第１の回動アーム４１の端部に固定された第１の歯車４５と、第２の回転軸３５の端部に固定されるＬ字状の第２の回動アーム４２と、第２の回動アーム４２の端部に固定されて、第１の歯車４５に噛合する第２の歯車４６と、を備えている。
【００２５】
第１の回動アーム４１とサイドパネル１５の上端とは、ドア５を開放する方向に付勢するための引張りスプリング４３で連結されている。第１の回動アーム４１の端部及びサイドパネル１５の上端には、３個横並びでフック孔４１ａ，１５ａが形成され、引張りスプリング４３の両端のフックを掛け変えることにより、引張りスプリング４３の弾性力を適宜変更することができ、これによってドア５，６の開閉力を適宜変更することができる。
【００２６】
同様に、第２の回動アーム４２とサイドパネル１５の上端とは、ドア６を開放する方向に付勢するための引張りスプリング４４で連結されている。第２の回動アーム４２の端部及びサイドパネル１５の上端には、３個横並びでフック孔４２ａ，１５ｂが形成され、引張りスプリング４４の両端のフックを掛け変えることにより、引張りスプリング４４の弾性力を適宜変更することができ、これによってドア５，６の開閉力を適宜変更することができる。
【００２７】
また、第１の回転軸２５に固定された第１の歯車４５と第２の回転軸３５に固定された第２の歯車４６とが噛み合うことで、ドア５とドア６とが連動して、ドア５，６の同時開閉が行われる。さらに、サイドパネル１５には、ドア５，６の開閉を検出するドア開閉検出部４８が設けられている。ドア開閉検出部４８は、第２の回動アーム４２の下端に取り付けられた可動側のマグネット４８Ａと、サイドパネル１５の表面に取り付けられた固定側の検知器４８Ｂとから構成されている。このドア開閉検出部４８では、マグネット４８Ａが検知器４８Ｂから離れることで、ドア５，６の開放状態が検知される。
【００２８】
なお、第２のハウジング４のサイドパネル１５上には、連動機構４０及びドア開閉検出部４８を覆うようにアウターパネル（図示せず）が取り付けられる。また、第２のハウジング４の内側には、略門形状のインナーパネル４９が第２のハウジング４に沿って設けられ、インナーパネル４９と第２のハウジング４との間にドア５，６が配置されている。
【００２９】
このような連動機構４０では、２枚の歯車４５，４６を利用しているだけなので、構造が極めて簡単であり、部品点数が少なく、組立て作業性が良好で、製造コストの低減を可能にしている。
【００３０】
さらに、第１及び第２のドア５，６を開放した際に、ハウジング４内で第１のドア５を第２のドア６の内側に入り込ませるように重ならせるために、図６に示すように、食器洗浄機１の中心線に対して、第１及び第２の回転軸２５，３５の位置を、内側に入り込む第１のドア５側にずらし、第１のドア５の連結部２４を短くし、第２のドア６の連結部３４を長くしている。これによって、取っ手２０，３０において、第１の回転軸２５を中心とした第１のドア５の回転半径Ｒ１は、第２の回転軸３５を中心とした第２のドア６の回転半径Ｒ２より小さくなり、ドア５とドア６を重ねることができる。
【００３１】
さらに、ハウジング４内で内側に位置する第１のドア５の回転半径Ｒ１は、外側に位置する第２のドア６の回転半径Ｒ２よりも小さくなっているので、第１の歯車４５と第２の歯車４６とを同じピッチ円直径にすると、図７に示すように、第１のドア５が第２のドア６より回転半径が小さくなっていることに起因して、第１のドア５の開口の高さＫ１が第２のドア６の開口の高さＫ２より低くなり、第１のドア５側からトレイを洗浄室Ｓ内に搬入又は搬出し難くなる虞がある。
【００３２】
また、ストッパ２７が無い場合でも、ドア５，６は、ドア６が開口部１９の上縁に当たる以上に開けることができず、このように、ドア５，６の開口範囲には制限があり、開口を単純に大きくすることはできず、制限内で開口の高さを大きくする必要がある。
【００３３】
そこで、図８に示すように、扇状の第１の歯車４５のピッチ円直径Ｐ１を、扇状の第２の歯車４６のピッチ円直径Ｐ２よりも小さくする対策が行われている。つまり、第１の歯車４５と第２の歯車４６との噛み合わせスムーズにするために各歯車４５，４６の歯の形状や配置間隔を略同じにすると、直径の大きな歯車４６の方が円周の長さが長くなり、一定の角度内に存在する歯数が異なり、直径が大きい歯車４６の方が歯数が多くなる。例えば、９０度の範囲内において、第１の歯車４５の歯数は６個、第２の歯車４６の歯数は６，５個である。
【００３４】
これによって、１つずつ歯が噛み合って回転すると、第２の歯車４６の回転角度に比べて、第１の歯車４５の回転角度の方が大きくなる。従って、取っ手２０，３０のいすれかを持ってドア５，６を開けたときに、ピッチ円直径の小さな歯車４５に連結されたドア５の方が、ピッチ円直径の大きな歯車４６に連結されたドア６よりも回転量が大きくなり、その分だけ開口の高さが増えて、外側に位置するドア６と同程度の開口高さを確保することができる。
【００３５】
このことから、第１の歯車４５のピッチ円直径Ｐ１を、扇状の第２の歯車４６のピッチ円直径Ｐ２よりも小さくするだけの対策で、図９に示すように、第１のドア５の開口の高さＫ１を高くすることができ、これにより、第１のドア５の開口の高さＫ１と第２のドア６の開口の高さＫ２とを容易に揃えることができる。従って、トレイの搬入作業や搬出作業を行い易くすることができる。しかも、僅かな幅寸法の違い以外、第１のドア５と第２のドア６とを略等しい外観形状にすることができる。すなわち、第１のドア５の側面２２，２３と第２のドア６の側面３２，３３は、同じ形状で、主面２１，３１に関しては、内側に入り込む第１のドア５の主面２１の幅を短くするだけの違いに抑えることができる。
【００３６】
本発明は、前述した実施形態に限定されないことは言うまでもない。例えば、左右の第１のドア５の第１の回転軸２５と第２のドア６の第２の回転軸３５とを上下にオフセットさせても、ドア６内にドア５を入り込ませることができる。
【符号の説明】
【００３７】
１…食器洗浄機、４…ハウジング、５…第１のドア、６…第２のドア、１８…第１の開口部、１９…第２の開口部、２５…第１の回転軸、３５…第２の回転軸、４５…第１の歯車、４６…第２の歯車、Ｓ…洗浄室、Ｒ１，Ｒ２…回転半径、Ｐ１，Ｐ２…ピッチ円直径。
【図１】
2010273959.tif 000003
【図２】
2010273959.tif 000004
【図３】
2010273959.tif 000005
【図４】
2010273959.tif 000006
【図５】
2010273959.tif 000007
【図６】
2010273959.tif 000008
【図７】
2010273959.tif 000009
【図８】
2010273959.tif 000010
【図９】
2010273959.tif 000011